(57)【要約】【課題】マウスピースを顔面筋鍛錬具の銜持部のコアに対して適切に取り付けることができるようにすること。【解決手段】銜持部１４を銜えた口唇に対して負荷を付与するようにした顔面筋鍛錬具において、周壁部４１と底壁部４２とを有し、前記銜持部１４における硬質のコア１７に対して着脱可能に外嵌されるマウスピース１８である。マウスピース１８の周壁部４１の内周面には、周壁部４１の周方向に延在する横リブ４８が形成されている。この横リブ４８は、コア１７の段差３６，３６に係合する。【選択図】図４
2020116306.tif 000002
【特許請求の範囲】
【請求項１】
口唇によって銜えられる銜持部を備えた顔面筋鍛錬具において、周壁部と底壁部とを有し、前記銜持部のコアに対して着脱可能に外嵌されるマウスピースであって、
前記周壁部の内周面には、その周方向に延在する突条を形成した顔面筋鍛錬具のマウスピース。
【請求項２】
前記突条を前記のコアの外周面に形成された段差と係合可能にした位置に配置した請求項１に記載の顔面筋鍛錬具のマウスピース。
【請求項３】
前記突条を口唇によって銜えられる位置よりも前記底壁部側の位置に配置した請求項１に記載の顔面筋鍛錬具のマウスピース。
【請求項４】
マウスピースを外嵌可能にしたコアと、そのコアから離間した位置に設けられたウェイト部とを備えた顔面筋鍛錬具の本体において、
前記コアの外周面には、そのコアの周方向に延在し、前記マウスピースの内周面と係合する突条を形成した顔面筋鍛錬具の本体。
【発明の詳細な説明】
【技術分野】
【０００１】
本発明は、口唇で銜えた状態における顔の上下方向の往復動作によって口輪筋などの顔面筋を鍛錬するようにした顔面筋鍛錬具において、口唇によって銜えられる銜持部に取り付けられるマウスピース及び顔面筋鍛錬具の本体に関するものである。
【背景技術】
【０００２】
この種の顔面筋鍛錬具が、特許文献１において開示されている。この特許文献１の顔面筋鍛錬具においては、ばね板よりなる弾性変形部の両端部にウェイトが設けられるとともに、弾性変形部の長さ方向の中間部には銜持部が設けられている。そして、使用者の口唇部によって銜持部を銜えて、顔面筋鍛錬具を上下に揺動させることにより、両端のウェイト部も揺動され、その揺動の反発力が銜持部に伝達される。これによって、使用者の顔面筋が鍛錬される。
【０００３】
前記銜持部は、コアとそのコア上のマウスピースとにより構成されており、マウスピースはコアに対して着脱可能である。このため、マウスピースを取り外して洗浄することができるようになっており、また、マウスピースは使用者の口唇の大きさなどに合わせたものを選択使用できるようになっている。
【先行技術文献】
【特許文献】
【０００４】
【特許文献１】特開２０１４−８７４７８号公報
【発明の概要】
【発明が解決しようとする課題】
【０００５】
特許文献１の顔面筋鍛錬具においては、マウスピースが自身の弾性力によってコアに外周に保持されるものである。しかし、顔面筋鍛錬具の使用に際して、マスピースがウェイトの揺動などにともなう外力によって所定の嵌合位置から移動するおそれがあり、このような場合は、顔面筋鍛錬具を使用しにくくなる。マウスピースの所定位置からの移動を阻止するために、マウスピースをコアに対して無理嵌め状態にして、嵌合力を強くすることも考えられるが、このようにすれば、マウスピースの着脱に困難が生じる。
【０００６】
本発明の目的は、マウスピースをコアに対して適切に取り付けることができる顔面筋鍛錬具のマウスピース及び顔面筋鍛錬具の本体を提供することにある。
【課題を解決するための手段】
【０００７】
上記の目的を達成するために、本発明は、口唇によって銜えられる銜持部を備えた顔面筋鍛錬具において、周壁部と底壁部とを有し、前記銜持部のコアに対して着脱可能に外嵌されるマウスピースに関するものである。そして、本発明においては、前記周壁部の内周面には、その周方向に延在する突条を形成したことを特徴とする。
【０００８】
以上の構成においては、周壁部の内周面に沿って延在する突条がコアの外周面と係合するため、顔面筋鍛錬具の使用に際して、マウスピースがコアから離脱しにくい。また、突条が存在するため、マウスピースの内周面がコアの外周面に密着することがなく、しかも、マウスピースの着脱に支障をきたすことはなく、その着脱を容易に行うことができる。
【０００９】
また、本発明においては、マウスピースを外嵌可能にしたコアと、そのコアから離間した位置に設けられたウェイト部とを備えた顔面筋鍛錬具の本体において、前記コアの外周面には、そのコアの周方向に延在し、マウスピースの内周面に係合する突条を形成したことを特徴とする。
【００１０】
以上の構成においては、コアの外周面に延在する突条がマウスピースの内周面と係合するため、顔面筋鍛錬具の使用に際して、前述のマウスピースの内周面に突条を設けた構成と同様に、マウスピースがコアから離脱しにくい。また、突条が存在するため、マウスピースの内周面がコアの外周面に密着することがなく、従って、マウスピースの着脱に支障をきたすことはなく、その着脱を容易に行うことができる。
【発明の効果】
【００１１】
以上のように、本発明によれば、マウスピースをコアに対して適切に取り付けることができるという効果を発揮する。
【図面の簡単な説明】
【００１２】
【図１】第１実施形態であって、ウェイト部を左右位置に有する第１タイプの顔面筋鍛錬具の使用状態を示す斜視図。
【図２】第１タイプの顔面筋鍛錬具の平面図。
【図３】第１タイプの顔面筋鍛錬具における銜持部の断面図。
【図４】同じく第１タイプの顔面筋鍛錬具における銜持部の分解断面図。
【図５】同じく第１タイプの顔面筋鍛錬具における銜持部の分解斜視図。
【図６】マウスピースの斜視図。
【図７】図４の７−７線における断面図。
【図８】突条の部分を示す断面図。
【図９】第２タイプの顔面筋鍛錬具の使用状態を示す斜視図。
【図１０】同じく第２タイプの顔面筋鍛錬具の分解一部斜視図。
【図１１】同じく第２タイプの顔面筋鍛錬具における図１０とは異なる方向から見た分解一部斜視図。
【図１２】第２実施形態を示す銜持部の断面図。
【発明を実施するための形態】
【００１３】
以下、本発明を具体化した実施形態を図面に基づいて説明する。
（第１実施形態）
図１〜図８は第１実施形態における第１タイプの顔面筋鍛錬具１１を示すものである。
【００１４】
図１及び図２に示すように、この顔面筋鍛錬具１１は、本体１０とマウスピース１８とを備えている。本体１０は、鋼板製の板バネよりなる弾性板１２を備え、弾性板１２の外周には、エラストマよりなる被覆部１３が形成されている。図３及び図４に示すように、弾性板１２の長さ方向中央には、口唇によって銜えられる銜持部１４が取り付けられ、この銜持部１４は後方に向かって突設されている。被覆部１３の左右両端部には、ウェイト部１５が設けられている。そして、使用者がその口唇部によって銜持部１４を銜えて、顔面筋鍛錬具１１を上下に揺動させることにより、両端のウェイト部１５の重量による負荷及び弾性板１２の反発力による負荷が銜持部１４に伝達され、使用者の顔面筋が鍛錬される。
【００１５】
図９〜図１１は第１実施形態の第２タイプの顔面筋鍛錬具２１を示すものである。この第２タイプの顔面筋鍛錬具２１の本体１０は、使用者の口唇によって銜えられる銜持部１４に基端部において連結されて、銜持部１４から前方に向かって細く延出され、スプリング（図示しない）を埋設した延出部５１と、延出部５１の先端部に位置するウェイト部１５とを備えている。そして、使用者の口唇部によって銜持部１４を銜えて、顔面筋鍛錬具２１を上下に揺動させることにより、先端のウェイト部１５の重量による負荷及び延出部５１の反発力による負荷が銜持部１４に伝達され、使用者の顔面筋が鍛錬される。
【００１６】
次に、第１タイプの顔面筋鍛錬具１１及び第２タイプの顔面筋鍛錬具２１の銜持部１４の詳細について、主として第１タイプの顔面筋鍛錬具１１の銜持部１４を例にとって説明する。
【００１７】
すなわち、図３及び図４に示すように、銜持部１４は、ポリプロピレンなど硬質の合成樹脂よりなるコア１７と、そのコア１７の後部側に位置する装着部２０に着脱可能に外嵌されたほぼカップ状をなすマウスピース１８とを備えている。このマウスピース１８は、シリコンゴムなどの軟質で弾力性を有する合成樹脂製である。
【００１８】
第１タイプの顔面筋鍛錬具１１の銜持部１４のコア１７と第２タイプの顔面筋鍛錬具２１の銜持部１４のコア１７とは、それぞれ弾性板１２及び前方に延出されるスプリングに連結するために、それらの前端側の形状は異なるが、後部側に位置する装着部２０の構成は図１１に示す後述の突起５５の有無を除けば同じである。また、マウスピース１８の構成も前記突起５５と対応する後述の凹部（図示しない）を除けば同じである。
【００１９】
図３〜図５に示すように、コア１７の後部側の前記装着部２０は、その外形がコーナを曲面状にしたほぼ四角柱状をなしており、後端面は球面状をなしている。前端部の基部３１はコニーデ状になっている。装着部２０には、上面または下面（実施形態では下面）を開口した中空部３２が形成されている。その中空部３２内には補強のための縦壁３３及び横壁３４が形成されている。これらの縦壁３３及び横壁３４は互いに交差している。装着部２０の後部側には大径部３７が形成されている。大径部３７の前部側には、装着部２０の上下両面及び両側面における段差３５，３６を介して小径部３８が形成されている。下面の段差３５は縦壁３３に形成されている。下面の段差３５を除き、段差３５，３６は、中央部が後退する湾曲形状をなしている。段差３５，３６の高さは、０．３〜１ｍｍ（ミリメートル）の範囲内である。
【００２０】
図４及び図６に示すように、マウスピース１８は、内部空間４３の前面に開口が形成されるとともに、周壁部４１と底壁部４２とを有している。前記マウスピース１８の外周には、前後方向に相互間隔をおいた３箇所にほぼ円形の襞状凸部２３，２４，２５が形成され、前側の襞状凸部２４，２５間には口唇によって銜えられる環状凹部２６が形成されている。
【００２１】
図３，図４及び図６に示すように、マウスピース１８の内部空間４３は前記装着部２０の外周面形状とほぼ相似形をなしており、底壁部４２の内面は球面状をなしている。内部空間４３の開口部には前記基部３１に沿うテーパ形状の拡開部４４が形成されている。拡開部４４の奥部には、前記環状凹部２６に対応する位置において絞り部４５が形成されている。絞り部４５の奥部には拡張部４６が形成されている。拡張部４６の内壁面において、装着部２０の上下両面及び両側面と対応する４箇所の位置には、それぞれ前後方向に延びる複数の縦リブ４７が形成されている。この縦リブ４７の高さは、絞り部４５の内周面と同じ高さか、内周面の位置より低く形成されている。
【００２２】
図３，図４，図６及び図７に示すように、前記絞り部４５の拡張部４６側の端部には、前記周壁部４１の周面に沿って延在する環状の突条としての横リブ４８が形成されている。この横リブ４８は、口唇によって銜えられる環状凹部２６の後方に位置している。横リブ４８の高さは、絞り部４５の内周面からわずかに突出して、前記段差３５，３６の高さとほぼ等しく形成されている。従って、横リブ４８の高さは、０．３〜１ｍｍの範囲内である。横リブ４８には、前記段差３５，３６と対応する形状の湾曲部４９，５０が形成されている。図８に示すように、横リブ４８の絞り部４５側の第１斜面４８１の角度θ１は、拡張部４６側の第２斜面４８２の角度θ２より大きくなっている。また、第２斜面４８２の立ち上がり長さ（図８の上下方向）が第２斜面４８２の立ち上がり長さより長くなっている。
【００２３】
図１１に示すように、第２タイプの顔面筋鍛錬具２１において、装着部２０の後端には突起５５が形成されるとともに、マウスピース１８の内奥部には凹部（図示しない）が形成されており、装着部２０に対するマウスピース１８の装着時に突起５５と凹部とが嵌り合うようになっている。
【００２４】
なお、マウスピース１８は形状や大きさの異なるものが複数種類用意され、使用者の口の大きさや形等に応じて適切なマウスピース１８が選択される。
前記のように構成された第１タイプ及び第２タイプの顔面筋鍛錬具１１，２１のマウスピース１８は以下のように作用する。
【００２５】
これらの顔面筋鍛錬具１１，２１を使用する場合には、コア１７の装着部２０にマウスピース１８を外嵌して取り付ける。
この状態で、図１及び図９に示すように、銜持部１４を口唇に銜えて顔を上下に往復動させれば、顔面筋が鍛錬される。この場合、横リブ４８が装着部２０の段差３５，３６と係合しているため、顔面筋鍛錬具１１，２１が上下に往復動されても、マウスピース１８が装着部２０上の所定の位置から離脱して、位置ずれしたり、抜けたりすることを防止できる。
【００２６】
また、マウスピース１８を洗浄したり、顔面筋鍛錬具２１を異なった使用者が使用したりする場合には、マウスピース１８が取り外されて、洗浄後のマウスピース１８や異なる大きさのマウスピース１８が再度装着される。
【００２７】
この装着の場合、前述のように、横リブ４８は段差３５，３６の高さとほぼ等しく、それほど高くないため、マウスピース１８に対してある程度以上の力を引き抜き方向に加えれば、横リブ４８は変形して段差３５を乗り越える。このため、容易にマウスピース１８を取り外すことができる。また、コア１７に新たなマウスピース１８を取り付ける場合には、横リブ４８の高さがそれほど高くないため、横リブ４８が装着部２０の大径部３７と係合しても、マウスピース１８の移動に対して大きな抵抗にはならず、マウスピース１８を容易に装着できる。
【００２８】
従って、第１実施形態の構成によれば、以下のような効果を得ることができる。
（１）横リブ４８はその高さが段差３５，３６の高さ程度に低く形成されている。従って、顔面筋鍛錬具１１，２１の使用に先立って、銜持部１４のコア１７に対してマウスピース１８を外嵌状態で取り付ける場合、横リブ４８がマウスピース１８の装着に対して大きな抵抗にはならず、マウスピース１８の装着を容易に行うことができる。
【００２９】
（２）装着部２０に対する装着に際して、コア１７の先端部及び外周面に当たる横リブ４８の第１斜面４８１の角度θ１が大きく形成されている。従って、横リブ４８はマウスピース１８の装着に対して大きな抵抗になることはなく、マウスピース１８をコア１７の装着部２０に対して容易に取り付けることができる。
【００３０】
（３）マウスピース１８の絞り部４５の奥に拡張部４６が形成されているため、絞り部４５の拡張部４６側の端部は広がりやすい。従って、マウスピース１８を装着部２０に装着する際、絞り部４５に横リブ４８が形成されていても、マウスピース１８を容易に装着できる。
【００３１】
（４）マウスピース１８が装着部２０の所定の位置に取り付けられた状態においては、横リブ４８がコア１７の段差３５，３６に落ち込んでその段差３５，３６に係合する。従って、この状態で、銜持部１４を口唇に銜えて顔を上下に往復動させる使用時において、前記のように、横リブ４８と段差３５，３６との係合作用のために、コア１７からのマウスピース１８の抜け出しが防止される。特に、第２タイプの顔面筋鍛錬具２１においては、ウェイト部が左右に揺動されることもあるが、この場合、段差３６がコア１７の左右両側面に形成されていて、横リブ４８もそれに対応して形成されているため、このような場合においても、マウスピース１８の抜け出しが適切に防止される。また、横リブ４８が、口唇によって銜えられる環状凹部２６よりも後方の底壁部４２側に位置しているため、環状凹部２６が銜えられたときに、横リブ４８の存在が使用者に感じられることはなく、良好な使用感を得ることができる。
【００３２】
（５）拡張部４６の内面に縦リブ４７が形成されて、その縦リブ４７がコア１７の大径部３７の外周面に係合するため、拡張部４６が形成されていても、マウスピース１８の拡張部４６の部分をコア１７に対して適切に保持できる。また、使用者が環状凹部２６ではなく、拡張部４６の部分を銜えてしまった場合に、縦リブ４７と大径部３７との係合により、銜えられた部分の変形を抑えることができて、使用者に違和感が与えられることを回避できる。
【００３３】
（６）顔面筋鍛錬具１１，２１の使用に際しては、マウスピース１８の環状凹部２６の部分が絞り部４５に対応して、その絞り部４５がコア１７の段差３５，３６の前方側の小径部３８に巻き付くようにして係合するため、マウスピース１８がコア１７に安定状態で外嵌されて、使用しやすい状態になる。
【００３４】
（７）コア１７の段差３５，３６側の第２斜面４８２の角度θ２が反対側の第１斜面４８１の角度θ１より小さいため、しかも、第２斜面４８２の高さが高いため、マウスピース１８を後方へ引っ張らない限り、マウスピース１８は抜けにくい。従って、前記のように、マウスピース１８を定位置に保持して、使用しやすいものとなる。
【００３５】
（８）横リブ４８が絞り部４５の後端に位置し、言い換えれば、使用者によって銜えられる環状凹部２６の後端に位置している。従って、環状凹部２６が銜えられたときに、絞り部４５及び横リブ４８の内径が狭くなる方向への力が作用して、マウスピース１８がその使用に際して抜けにくい状態になり、使いやすいものとなる。
【００３６】
（９）段差３５及び横リブ４８が湾曲しているため、それらの接触面積が広くなって、マウスピース１８の抜け出しがより確実に防止される。
（１０）マウスピース１８の洗浄や交換などのためにマウスピース１８を取り外す場合には、前述のように、横リブ４８の高さはそれほど高くないため、マウスピース１８に対してある程度以上の力を引き抜き方向に加えれば、横リブ４８は変形して段差３５を乗り越える。このため、マウスピース１８を強い抵抗なく取り外すことができる。
【００３７】
（１１）横リブ４８が外側に露出することなくマウスピース１８の内周面に形成されているため、外部からの要因による横リブ４８の傷つきや、摩耗を極力回避できて、コア１７に対するマウスピース１８の保持作用などの横リブ４８の機能を長期間維持できる。
【００３８】
（１２）マウスピース１８は、先端部が底壁部４２に閉塞されている。従って、コア１７の装着部２０に対するマウスピース１８の装着状態において、マウスピース１８の内側を清潔に維持できるとともに、コア１７の先端部も底壁部４２によって閉塞されるため、コア１７も清潔に維持できる。また、底壁部４２によってマウスピース１８が必要以上にコア１７の基部３１側に移動することを防止して、マウスピース１８を所定位置に装着できるとともに、底壁部４２の存在によってマウスピース１８の不要な変形を回避できる。従って、マウスピース１８を銜えた際における違和感を生じることなく顔面筋鍛錬具を快適に使用できるとともに、マウスピース１８の耐久性を向上できる。
【００３９】
（１３）第２タイプの顔面筋鍛錬具２１においては、コア１７の後端とマウスピース１８の底壁部４２との対接部に、互いに嵌り合う突起５５と凹部とを設けたことにより、凹部を有しない異なる種類の顔面筋鍛錬具１１のマウスピース１８や、凹部の位置が異なるマウスピースの誤組付けを防止できる。
【００４０】
（第２実施形態）
次に、本発明の第２実施形態を図１２に基づいて第１実施形態と異なる部分を中心に説明する。
【００４１】
この第２実施形態においては、銜持部１４のコア１７には前記第１実施形態の段差３６は形成されていない。また、マウスピース１８の内周面に絞り部４５及び拡張部４６は形成されておらず、マウスピース１８の内周面には拡開部４４を除いて等径で連続する等径部５２が形成されている。前記第１実施形態と同様な縦リブ４７は等径部５２に形成されている。
【００４２】
一方、横リブ４８は、コア１７の外周面の中空部３２を除いた部分に形成されている。ここで、コア１７の外周面は、コア１７の後端面を含まないものとする。この横リブ４８は前記マウスピース１８の等径部５２と対応するとともに、マウスピース１８の外周の環状凹部２６の後端と対応する位置に形成されている。また、横リブ４８には第１実施形態とは異なり、湾曲部は形成されていない。横リブ４８の高さは、第１実施形態と同様に、０．３〜１ｍｍの範囲内である。さらに、横リブ４８には第１実施形態と同様な角度の第１斜面４８１及び第２斜面４８２が形成されており、第１斜面４８１がコア１７の先端側に、第２斜面４８２がコア１７の基部３１側に配置されている。
【００４３】
従って、第２実施形態においては、銜持部１４のコア１７の装着部２０に対してマウスピース１８を外嵌状態で取り付ける場合、立ち上がり度合いが小さい第１斜面４８１がコア１７の先端側に位置しているため、横リブ４８がマウスピース１８の外嵌移動に対して大きな抵抗にはならず、マウスピース１８の装着を容易に行うことができる。
【００４４】
また、マウスピース１８がコア１７の装着部２０に取り付けられた状態において、銜持部１４を口唇に銜えて顔を上下に往復動させる時には、マウスピース１８の内周面に対する横リブ４８の係合のために、コア１７からのマウスピース１８の抜け出しが防止される。そして、横リブ４８が使用者によって銜えられる環状凹部２６の後端に位置しているため、環状凹部２６が銜えられたときに、マウスピース１８がその使用に際して抜けにくい状態になり、使いやすいものとなる。
【００４５】
マウスピース１８の洗浄や交換などのためにマウスピース１８を取り外す場合には、横リブ４８はそれほど高くないため、このため、マウスピース１８を強い抵抗なく取り外すことができる。
【００４６】
（変更例）
本発明は、前記実施形態に限定されるものではなく、以下のような態様で具体化することも可能である。
【００４７】
・横リブ４８の第１斜面４８１の角度θ１と第２斜面４８２の角度θ２とを等しくすること。
・横リブ４８の斜面４８１，４８２をなくして、両側面を直立させること。このように構成しても、横リブ４８の高さを低くすれば、前記実施形態のような効果を得ることができる。
【００４８】
・横リブ４８を段差３５，３６の位置から外して、大径部３７または小径部３８と対応する位置に設けること。このように構成しても、前記実施形態とほぼ同様な効果を得ることができる。
【００４９】
・縦リブ４７を省略すること。
・横リブ４８として、分断された突起を横リブの位置に配列して突起を延在された事実上の横リブとすること。
【００５０】
・横リブ４８をマウスピース１８の内周面及びコア１７の装着部２０の外周面の双方に形成すること。この構成の場合、コア１７に対するマウスピース１８の装着状態において、マウスピース１８側の横リブ４８とコア１７側の横リブ４８とが相互に係合する位置関係であっても、離間する位置関係であってもよい。
【００５１】
（他の技術的思想）
前記第１実施形態から把握され、請求項に記載の技術的思想以外の技術的思想は以下の通りである。
【００５２】
前記周壁部の内周面に絞り部を形成するとともに、その絞り部の奥側に拡張部を形成し、前記突条を前記絞り部の前記拡張部側の縁部に配置した請求項３に記載の顔面筋鍛錬具のマウスピース。
【符号の説明】
【００５３】
１０…本体、１１…顔面筋鍛錬具、１４…銜持部、１５…ウェイト部、１７…コア、１８…マウスピース、２０…装着部、２１…顔面筋鍛錬具、３５…段差、３６…段差、４１…周壁部、４２…底壁部、４５…絞り部、４６…拡張部、４７…縦リブ、４８…横リブ、４８１…第１斜面、４８２…第２斜面、θ１…角度、θ２…角度。
【図１】
2020116306.tif 000003
【図２】
2020116306.tif 000004
【図３】
2020116306.tif 000005
【図４】
2020116306.tif 000006
【図５】
2020116306.tif 000007
【図６】
2020116306.tif 000008
【図７】
2020116306.tif 000009
【図８】
2020116306.tif 000010
【図９】
2020116306.tif 000011
【図１０】
2020116306.tif 000012
【図１１】
2020116306.tif 000013
【図１２】
2020116306.tif 000014